(57)【要約】      （修正有）【課題】小さなステップルを寸法と形状に関わらず強い力で安定して固定し且つ狭い場所に於いても手を無理矢理に伸ばさずにケーブルを工具で掴んだステップルに挟み込んで目的の場所にケーブルを固定して打ち込めるステップル打ち工具を提供する。【解決手段】薄板で且つ弾力のある板ばね６二枚を細長手の板軸１に設けた溝４に嵌め込んで、これをホルダ１１の角穴１２に挿入することで一体となしホルダを溝内を前後に移動させることで板ばねの先程に設けた幅広部７でステップルを強く掴んで固定し、板ばねの中程に設けた突き出し部８の突張り力作用の発生で幅広部が左右へぐらつく動きを止めて、ステップルを強固に固定するためステップルの股間（足（クギ部）と足の間）にケーブルを挟み込んでもステップルは外れないで固定（ケーブルを持つことと同じ）できるステップル打ち工具。【選択図】図１
2006035385.tif 000002
【特許請求の範囲】
【請求項１】
先端が幅広部（７）で角度部（１０）を持たせた板ばね（６）二枚を溝（４）を設けた板軸（１）の溝に嵌め込んで向き合わせ且つ溝内で自由に移動できるようにして（図３を参照）ホルダ（１１）の角穴（１２）に挿入し二枚の板ばねを一対となして固定し、板ばねの中程に設けた突き出し部（８）の先端と板ばね後部の折り曲げ部（９）でホルダの角穴の両端を挟み込んでホルダと一体となして組み立て（図４を参照）、ステップル（１４）の径に類似した半径（球面状）を持つ先端部（２）には二枚の板ばねを押し広げやすく滑らかなR面（３）を両肩に加工した板軸の先端部と板ばね二枚の幅広部の三点接触でステップルを挟み込んで固定し、板軸の頭部（５）をハンマーで打つことで安全に且つ正確に平電線ケーブル（VVF））や通信ケーブル等を柱や梁にステップルで打ち止め出来ることを特徴とするステップル打ち工具。
【発明の詳細な説明】
【技術分野】
【０００１】
本発明は、一般に市販されている安価であるが寸法と形状（ケーブル保護用絶縁皮膜の加工方法によって）がまちまちで種類（柱に打ち込まれる足の長さやケーブル幅にあわせた全体の幅寸法）が多いステップルを全て種類に関わらず容易に挟み込んで固定し、電気工事や通信配線工事に使用される電線（VVF)や同軸ケーブルをステップルで打ち止めする工具に関するものである。
【背景技術】
【０００２】
配線工事は、本来建物を建設中に壁の中に埋め込みコンセントのみ出ているのが普通ではあるが、近年通信ネットワーク（インターネット）等が急速に発展し既存の建物に於いては、新たに柱や梁の隅に沿って通信用ケーブルをステップルで打ち付けて固定していくのであるが、通信ケーブル用ステップルは極端に小さく親指と人差し指で掴んだとき隠れてしまって、また同時に手の平でケーブルを押さえ込んで安定させながらハンマーでステップルを打ち込む作業は指をたたくことが多く危険であり、打ち付け箇所に真っ直ぐに定まらずステップルをいがめたり曲がったりしてケーブルをいちじるしく痛めることが多いのである。
【０００３】
またテナントビル（雑居ビル等）は、新たに入居者が決まった時点で内装工事を行うのであるが、電気配線工事が必ず付いて回る、張り壁を剥がし新品の張り壁を張る前に内側の胴縁（木枠）に平ケーブル（VVF)をステップルで打ち止めるのが普通である、胴縁の幅も狭いので平ケーブルを固定するためのステップル打ちは熟練者泣かせである、通信ケーブルと違い重くて硬い平ケーブルを真っ直ぐに打ち止めする作業は胴縁からはみだしたステップルの先端や斜めにステップルを打ち込んだり叩きすぎたりしてケーブルを変形させないように慎重にすることになり重労働である、ために一部の業者では屋根裏にほり投げたまま梁や柱に固定せずにぶら下げた状態で仕上げて（新しい張り壁で見えなくなるが）終うので後に漏電事故（増設線（一般にタコ足配線）の結束部分の接触）が多発するのである。
【０００４】
前項で述べた背景には、各種ステップルを製作する会社によって微妙に（ステップルは番線をカットして曲げた二股クギのことで、この番線に直接ケーブルが接触しないように一部に施す絶縁皮膜の厚みや材質による）寸法、形状と通信用や平ケーブルやインターホンケーブルと大きさ寸法が多種にわたっていることで、狭い場所と限られた打ち付け場所に的確にステップルを正確にケーブルと平行に打ち込める、多種に渡る寸法のステップルを一個の専用工具で達成できる工具が開発されていないからである。
【発明の開示】
【発明が解決しようとする課題】
【０００５】
解決しようとする問題点は、寸法や形状にとらわれずにワンタッチでこれらステップルを掴んで固定し、狭い場所にも問題なく（工具自信が大きすぎて狭い場所に入らない）使用でき且つ打ち込み後は掴んだステップルは自動的に離れているので何ら干渉するところがないので直ぐさま次のステップルを掴み込んで固定し次の打ち込み作業に入れる連続作業性、また安価で何処にでも購入出来るステップルが使用できるようにした点である。
【課題を解決するための手段】
【０００６】
本発明は、ステップルの絶縁皮膜を施した外径寸法に近い厚みの板軸とこの板軸に施した溝に嵌って移動できる薄い板ばねを向き合わせることと角度をつけることで先細りの形態の狭口部を持たせてホルダでこれを一体に組み合わせることで、板ばねの強い弾力性を利用して異径のステップルを挟んで掴み固定させる、またステップルが柱や梁に深く打ち込まれて安定したところで板ばねの先端を押し広げて（自動的に）、ステップルから工具を解放させる重要な機構を持たせたR面を併せ持つ板軸の先端部が重要で且つ特徴とする。
【発明の効果】
【０００７】
本発明は、図１を参照のごとく本体全体が薄く軽量でシンプルな形態と構造であるため狭い作業箇所でもステップルを直接保持することなく細長手な形態の板軸（１）を持って打ち込めるので離れた箇所にでも簡単に且つケーブルに平行（二股クギは両足を平均に打たないと片側の足ばかり打ち込んでしまい曲がってしまう）で正確さを持ってステップルを打ち込める最大の利点がある。
【発明を実施するための最良の形態】
【０００８】
本発明の工具は、組み立てに於いてねじや別途にスプリング等を一切使用せず部品の形状（金型成形方法）と素材の性能を最大限に利用したシンプルで且つ部品点数が少ないため連続作業に使用しても故障箇所が無く、取り扱いに特別の説明（制約等）も不用であり、ステップルとほとんど変わらない厚みと寸法で且つ細長手状態の工具であるため手が入らない狭い場所にでも作業体勢を崩さずにステップルを打ち込むことが実現できた。
【実施例１】
【０００９】
図１参照の本発明の組み立て完成された工具の立体図で全体を現している、板軸（１）を持って頭部（５）をハンマーで叩く形態をなしている。
【００１０】
図２、図３、図４、図５の如く、薄板を凹状にした板ばね（６）を前部には角度部（１０）を設けて、この板ばねを二枚向き合わせた時、幅広部（７）の先が狭口部（３−１）となるように成形してある、中程には突き出し部（８）と折り曲げ部（９）を設けてホルダ（１１）の角穴（１２）を通り抜けたとき、この折り曲げ部と突き出し部の先端でホルダを強く挟み込んで固定する（図４を参照）、また焼き入れを施した板軸（１）の先寄りには溝（４）を施し板ばね（６）の凹の内寸法に嵌るように加工してある、先端にはステップルの外径に類似した半径（球面状）を中心に施し（２）、両角には滑らかなＲ面（３）を施してある。
【００１１】
同じ形状の板ばね（６）を上下に向き合わせて一対とし、ホルダ（１１）の角穴（１２）に押し込むことで板ばねとホルダが一体となつて板軸（１）に設けた溝（４）内を自由に移動させることができる、図５の如く組合わさったホルダが溝の先端側で止まっている自然な状態を拡大した一部分の立体図である。
【００１２】
今、本発明の工具を使用せんとすれば図６の如くホルダ（１１）に設けた滑り止め効果のあるグリップ部（１３）に指をあて後部（板軸の頭部側）へ矢印（１１−１）の方向に押し上げればホルダと一体となつた板ばね（６）も引き上げられるこの時、板ばねに施した角度部（１０）が板軸（１）に設けたＲ面（３）に押し広がされて狭口部（３−１）は広がり広角口（３−２）になる、さらに溝の後部に突き当たるまで押し上げれば板軸の先端には板ばね（６）の幅広部（７）が後退してなくなる、この時にステップル（１４）を板軸の先端の球面部に押し当てれば装着可能な状態になる、ホルダを板軸の先端へ矢印（１１−２）で示す方向に押し進めば板ばね（６）の角度部（１０）は板軸のＲ面（３）を通り越す図７の如く、板ばねに設けた幅広部（７）が元の状態に戻るときステップル（１４）を掴む状態になる、この状態が掴み口（３−３）となって図７で表しているが、この時に
重要なのは板ばねの中程に設けた突き出し部（８）の力作用である、矢印（８−２）で示すとおりホルダの角穴の端（エッジ）と板ばねの幅広部（７）手前（付け根）で突っ張る作用が発生しているのである、この力作用はステップルを強く掴み込む方向に働くのでとくに小さい通信用ケーブルに於いてはぐらつくことなく掴んで固定出来るのである。
【００１３】
よって、図８を参照すれば本発明の工具にステップル（１４）を掴んで固定し平ケーブル（１８）（部分図）にステップルを押し当てれば簡単に板軸（１）の頭部（５）をハンマーで叩くことが出来る、柱や梁にステップルの先端を本発明の工具で強く押し当てることで仮打ちに似た効果が得られるのでケーブルの姿勢（配線方向を見据えて）打ち込んで固定出来るのであるが、この時板軸と同様にステップルを掴みながら先端に移動していた板ばねはやがて幅広部（７）が平ケーブル（１８）に当たって止まる状態を矢印（７−３）で示す、さらに板軸の頭部をハンマーで叩けば板軸の先端の角に設けたＲ面（３）が板ばねの角度部（１０）を矢印（７−１）の方向へ押し広げて進みステップルは平ケーブルを打ち止めるのであるが、この時図６で表した様に次のステップルを掴み込む状態になっていて新たにホルダを後部に押し上げないでも連続にして、ステップルを掴んで打ち込めるのである。
【産業上の利用可能性】
【００１４】
ステップルの平らな部分全体を平均に押し当たるので、変形したり曲がったりせずに打ち込めるのでケーブルを痛めたりはしない、市販品を選ばずに使用出来るので安価で入手しやすいステップルが使用できハンマーで打ちすぎたりケーブルを叩くことがない、近年多くなってきた通信ケーブル工事に不可欠なステップル打ち工具である。
【図面の簡単な説明】
【００１５】
【図１】本発明の組み立て完成された工具の立体図で全体を現している。
【図２】本発明を構成する部品を立体図で表す。
【図３】板ばねを板軸の溝に向かえ合わせに挿入してホルダの角穴に挿入する図を立体図で表している。
【図４】ホルダのみを全断面図にして板軸と板ばねを組み込んでホルダの角穴に挿入して突き出し部の先端と折り曲げ部とで角穴の両側のエッジに止った図。
【図５】立体図で組み合わさった本発明の工具の前部分を拡大した図で、板軸の先端に施した球面状とＲ面と板ばねに施した角度部との干渉の様を説明するための拡大図。
【図６】立体図で組み合わさった本発明の工具で図５と同じ趣旨で先端の広角口部を拡大し作用する様を矢印を付けた図。
【図７】立体図で組み合わさった本発明の工具で図５と図６と同じ趣旨で先端でステップルを掴んだ状態と発生する力作用を拡大して説明した図。
【図８】立体図で組み合わさった本発明の工具の先端でステップルを掴んで平ケーブルを押さえ込んだ図でさらに打ち進んだ時の力作用を矢印で示して説明した打ち込み作業の工具の状態を表した図。
【符号の説明】
【００１６】
１          板軸
２          先端部
３          Ｒ面
３−１      狭口部
３−２      広角口
３−３      掴み口
４          溝
５          頭部
６          板ばね
７          幅広部
７−１      矢印
７−２      矢印
７−３      矢印
８          突き出し部
８−１      矢印
８−２      矢印
９          折り曲げ部
１０        角度部
１１        ホルダ
１１−１    矢印
１１−２    矢印
１２        グリップ部
１３        角穴
１４        ステップル
【図１】
2006035385.tif 000003
【図２】
2006035385.tif 000004
【図３】
2006035385.tif 000005
【図４】
2006035385.tif 000006
【図５】
2006035385.tif 000007
【図６】
2006035385.tif 000008
【図７】
2006035385.tif 000009
【図８】
2006035385.tif 000010